(57)【要約】【課題】本発明は、自動車が高圧洗浄された場合においても、箱本体内に水が浸入することがなくかつ、結露などにより箱本体内に浸水した水を速やかに排出することができる電気接続箱を提供する。【解決手段】電気接続箱１は、箱本体２と、該箱本体２から突出して設けられた筒状の通し部６と、該通し部６の内側に通されて、前記箱本体２の外に引き出される複数の電線７と、を備えた電気接続箱１において、筒状に設けられかつ、前記通し部６の内側を通される排水管８を更に備えて、前記排水管８が、該排水管８の長手方向の基端部から先端部に向かうに従って、水平方向より下方に向かうように設けられている。【選択図】図１
2010259149.tif 000002
【特許請求の範囲】
【請求項１】
箱本体と、
該箱本体から突出して設けられた筒状の通し部と、
該通し部の内側に通されて、前記箱本体の外に引き出される複数の電線と、を備えた電気接続箱において、
筒状に設けられかつ、前記通し部の内側を通される排水管を更に備えて、
前記排水管が、該排水管の長手方向の基端部から先端部に向かうに従って、水平方向より下方に向かうように設けられていることを特徴とする電気接続箱。
【請求項２】
前記排水管の先端部が、前記通し部の先端部よりも突出していることを特徴とする請求項１に記載の電気接続箱。
【請求項３】
前記排水管が、前記複数の電線に取り囲まれていることを特徴とする請求項１または請求項２に記載の電気接続箱。
【発明の詳細な説明】
【技術分野】
【０００１】
本発明は、自動車のエンジンルーム内に取り付けられる電気接続箱に関するものである。
【背景技術】
【０００２】
移動体としての自動車には、多種多様な電子機器が搭載されている。これら多種多様な電子機器に電力を供給するために、前記自動車には、電源と前記電子機器との間の適宜箇所に、コネクタ、リレー、ヒューズ等の電気部品が集約されて構成された電気接続箱が配置されている。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して以下電気接続箱と呼ぶ。
【０００４】
図７は、従来の電気接続箱９０１の側面図である。前述した電気接続箱９０１（例えば、特許文献１参照）は、箱状に形成されてその内側に各種電気部品（図示しない）が収容される箱本体９０２と、該箱本体９０２から突出して設けられた筒状の通し部（図示しない）と、一端が前記電気部品に接続されかつ他端が通し部の内側に通されて箱本体９０２の外に引き出される複数の電線９０７と、を備えている。
【０００５】
箱本体９０２は、本体部９０３と、該本体部９０３の図７中上側に位置する上面に着脱自在に取り付けられるアッパーカバー９０４と、該本体部９０３の図７中下側に位置する下面に着脱自在に取り付けられるロアカバー９０５と、を備えている。
【０００６】
ロアカバー９０５は、底壁９５０と、該底壁９５０の縁から立設する複数の外壁９５１と、水抜  き穴（図示しない）と、を備えている。水抜き穴は、前記底壁９５０を貫通している。こうして、  電気接続箱９０１は、結露などにより箱本体９０２内にたまった水を、前記水抜き穴から排出して  いる。
【先行技術文献】
【特許文献】
【０００７】
【特許文献１】特開平１０−２２４９４８号公報
【発明の開示】
【発明が解決しようとする課題】
【０００８】
ところで、従来の電気接続箱９０１が取り付けられた前記エンジンルームは、加圧された水などをかけられることによって洗われる（所謂高圧洗浄される）ことがある。このように電気接続箱９０１は、自動車が高圧洗浄されると、該高圧洗浄の際に用いられる水が、前記水抜き穴を通されて箱本体９０２内に浸入してしまう虞れがあった。
【０００９】
従って、本発明は、自動車が高圧洗浄された場合においても、箱本体内に水が浸入することがなくかつ、結露などにより箱本体内に浸水した水を速やかに排出することができる電気接続箱を提供する。
【課題を解決するための手段】
【００１０】
請求項１に記載の本発明の電機接続箱は、箱本体と、該箱本体から突出して設けられた筒状の通し部と、該通し部の内側に通されて、前記箱本体の外に引き出される複数の電線と、を備えた電気接続箱において、筒状に設けられかつ、前記通し部の内側を通される排水管を更に備えて、前記排水管が、該排水管の長手方向の基端部から先端部に向かうに従って、水平方向より下方に向かうように設けられていることを特徴としている。
【００１１】
請求項２に記載の電気接続箱は、請求項１に記載の電気接続箱において、前記排水管の先端部が、前記通し部の先端部よりも突出していることを特徴としている。
【００１２】
請求項３に記載の電気接続箱は、請求項１または請求項２に記載の電気接続箱において、前記排水管が、前記複数の電線に取り囲まれていることを特徴としている。
【発明の効果】
【００１３】
以上説明したように請求項１に記載の本発明によれば、電気接続箱は、通し部の内側を通される筒状の排水管を備えているとともに、前記排水管が、該排水管の長手方向の基端部から先端部に向かうに従って、水平方向より下方に向かうように設けられている。こうして、箱本体に水抜き穴を設けずとも、箱本体内にたまった水を排水管から箱本体の外に排水することができる。
【００１４】
請求項２に記載の本発明によれば、前記排水管の先端部が、前記通し部の先端部よりも突出して設けられている。こうして、箱本体内にたまった水を、箱本体の外に確実に排水することができる。
【００１５】
請求項３に記載の本発明によれば、排水管が、前記複数の電線に取り囲まれて配されている。即ち排水管の先端部は、複数の電線によって覆われている。こうして電気接続箱は、自動車が前述した高圧洗浄された際においても、排水管の先端部から箱本体内に水が侵入することを防止することができる。
【図面の簡単な説明】
【００１６】
【図１】本発明の第１の実施形態に係る電気接続箱の側面図である。
【図２】図１に示された粘着テープが巻かれていない状態の電気接続箱の通し部を拡大して示す断面図である。
【図３】図１に示された電気接続箱を構成するロアカバー及び排水管を示す分解斜視図である。
【図４】本発明の第２の実施形態に係る電気接続箱の通し部を拡大して示す断面図である。
【図５】図４に示された電気接続箱を構成する本体部及び排水管の変形例を示す斜視図である。
【図６】図４に示された電気接続箱を構成するロアカバー及び排水管の変形例を示す斜視図である。
【図７】従来の電気接続箱の側面図である。
【発明を実施するための形態】
【００１７】
以下、本発明の第１の実施形態にかかる電機接続箱を、図１乃至図３に基づいて説明する。本発明の電気接続箱１は、自動車のエンジンルームなどに取り付けられて、前記自動車に搭載された多種多様な電子部品に電力を供給するものである。また、本明細書では、ジャンクションブロック、ヒューズブロック、リレーボックスを、総称して以下電気接続箱１と呼ぶ。
【００１８】
前述した電気接続箱１は、箱状に形成されてその内側に各種電気部品（図示しない）が収容される箱本体２と、該箱本体２から突出して設けられた筒状の通し部６と、一端が前記電気部品に接続されかつ他端が通し部６の内側に通されて箱本体２の外に引き出される複数の電線７と、前記通し部６の内側に配される筒状の排水管８と、を備えている。
【００１９】
箱本体２は、筒状に形成された本体部３と、該本体部３の図１中上側に位置する上面に着脱自在に取り付けられるアッパーカバー４と、前記本体部３の図１中下側に位置する（即ち前記上面から離れる方向の）下面に着脱自在に取り付けられるロアカバー５と、を備えている。
【００２０】
本体部３にアッパーカバー４及びロアカバー５とが互いに組み付けられる際には、本体部３にアッパーカバー４が前記上面に対し直交する矢印Ｋ（図１に示す）に沿って近付けられるとともに、本体部３にロアカバー５が前記下面に対し直交する前記矢印Ｋに沿って近付けられる。このように矢印Ｋとは、本体部３にアッパーカバー４及びロアカバー５とが互いに近付く方向をなしている。また、矢印Ｋとは、特許請求項の範囲に示された「水平方向」に対して直交する方向をなしている。即ち、電気接続箱１は、前記矢印Ｋが、前記水平方向に対して直交する方向に配されている。
【００２１】
本体部３は、その内側に前記電気部品が装着される。本体部３は、絶縁性の合成樹脂からなりかつ、周知の射出成形により成形される。本体部３は、複数の外壁３１と、アッパーカバー４の後述するロックアーム４２に係止する係止突起３２と、アッパーカバー４の後述する係止アーム４３に係止するロック突起３４と、ロアカバー５の後述するロック部５２に係止するロック受け部３３と、を備えている。本体部３は、複数の外壁３１によって四角筒状に形成されている。
【００２２】
アッパーカバー４は、絶縁性の合成樹脂からなりかつ、周知の射出成形により成形される。アッパーカバー４は、複数の外壁４１と、ロックアーム４２と、係止アーム４３と、を備えている。アッパーカバー４は、複数の外壁４１によって有底筒状に形成されている。
【００２３】
ロアカバー５は、絶縁性の合成樹脂からなりかつ、周知の射出成形により成形される。ロアカバー５は、底壁５０と、該底壁５０の縁から立設する複数の外壁５１と、複数のロック部５２と、を備えている。ロアカバー５は、底壁５０と、複数の外壁５１と、によって有底筒状に形成されている。そして、外壁５１は、矢印Ｋに沿って外壁５１を全長に亘って切り欠かれた切欠き５３を設けている。
【００２４】
通し部６は、絶縁性の合成樹脂からなり、かつ周知の射出成形により成形されている。通し部６は、本体部３にロアカバー５が取り付けられることによって形成される。通し部６は、複数の電線７の他端が通されて、箱本体２の外に前記複数の電線７の他端を引き出す。通し部６は、第１立設部６１と、第２立設部６２と、バンドガイド６３と、を一体に備えている。通し部６は、その長手方向が矢印Ｋと平行である。そして、通し部６は、内側に複数の電線７が通されると、通し部６の長手方向が複数の電線７の長手方向とも平行になる。
【００２５】
通し部６は、本体部３の下面の縁から矢印Ｋに沿って延在する第１立設部６１と、該第１立設部６１に組み付けられるとともに、ロアカバー５の底壁５０から樋状に立設した第２立設部６２と、によって円筒状に構成されている。これら第１立設部６１と第２立設部６２とは、本体部３にロアカバー５が取り付けられることによって、第１立設部６１の周方向の縁と、第２立設部６２の周方向の縁とが重ねられて通し部６を構成する。また、通し部６は、箱本体２の内部と外部とに亘って連通している。
【００２６】
第１立設部６１は、絶縁性の合成樹脂からなり、かつ周知の射出成形により成形される。第１立設部６１は、樋状に形成されかつ内側に前述した複数の電線７を収容する。第１立設部６１は、その長手方向に交差する方向の断面形状が、円弧状に形成されている。また、第１立設部６１は、その長手方向の一端が前記本体部３に連なっている。即ち第１立設部６１は、本体部３と一体に形成されている。こうして、本体部３にロアカバー５が取り付けられると、第１立設部６１がロアカバー５の切欠き５３を塞ぐように取り付けられる。
【００２７】
第２立設部６２は、絶縁性の合成樹脂からなり、かつ周知の射出成形により成形される。第２立設部６２は、その長手方向に交差する方向の断面形状が、円弧状に形成されている。また、第２立設部６２は、その長手方向の一端がロアカバー５に連なっている。即ち第２立設部６２は、ロアカバー５と一体に形成されている。
【００２８】
バンドガイド６３は、第１立設部６１の先端部から離れた端部に設けられている。バンドガイド６３は、第１立設部６１の外周面に設けられている。バンドガイド６３は、一対の立設片（図示しない）と、１つの連結片６５と、備えている。
【００２９】
一対の立設片は、第１立設部６１の外方向に立設している。一対の立設片は、第１立設部６１の長手方向（即ち矢印Ｋ）に沿って、互いに間隔をあけて配されている。一対の立設片の間隔は、第１立設部６１に複数の電線７及び排水管８を結束する結束バンド９の幅に応じた寸法となっている。
【００３０】
連結片６５は、一対の立設片の第１立設部６１の外周面から離れた側の端を互いに連結している。
【００３１】
こうして、バンドガイド６３は、一対の立設片と連結片６５とで略コ字状に形成されている。バンドガイド６３は、内側（即ち一対の立設片間でかつ第１立設部６１の外周面と連結片６５との間）に、結束バンド９を通す。
【００３２】
複数の電線７は、周知の被覆電線である。これら複数の電線７は、前述した通し部６から箱本体２の外に引き出された他端の一部が一束に結わえられてワイヤハーネス（図示しない）を構成する。
【００３３】
排水管８は、円筒状に形成されかつ、前記通し部６の内側に配されている。即ち、排水管８は、その長手方向が通し部６と平行であるとともに、前記複数の電線７とも平行である。こうして、複数の電線７の一端寄りに排水管８の長手方向の基端部が配されて、複数の電線７の他端寄りに排水管８の先端部が配される。そして、排水管８が、該排水管８の長手方向の基端部から先端部に向かうに従って、水平方向より下方に向かうように設けられている。また、排水管８は、その先端部が、通し部６の先端部よりも突出している。
【００３４】
上述した電線接続箱１の組立手順について説明する。まず、本体部３の内側に電気部品を装着する。そして、複数の電線７の一端を前記電気部品に取り付ける。または、複数の電線７が取り付けられた電気部品を本体部３の内側に装着する。そして、排水管８及び複数の電線７を、第１立設部６１の内側に収容する。そして、バンドガイド６３の前記内側に結束バンド９の先端部を通して、第１立設部６１と複数の電線７及び排水管８とを結束する。こうして排水管８は、その長手方向が複数の電線７と平行であるとともに、通し部６とも平行に配されている。勿論排水管８は、その長手方向が矢印Ｋとも平行である。そして、前記排水管８が、該排水管８の長手方向の基端部から先端部に向かうに従って、水平方向より下方に向かうように設けられている。そして、複数の電線７及び排水管８が取り付けられた状態の第１立設部６１の周方向の縁に第２立設部６２の周方向の縁を近付ける格好で、本体部３の下面の縁にロアカバー５の外壁５１の縁を矢印Ｋに沿って互いに重ねる。そして、ロアカバー５の外壁５１に設けられたロック部５２に、本体部３の外壁３１に設けられたロック受け部３３が係止することにより、本体部３にロアカバー５が組み付けられる。そして、粘着テープ１０を、通し部６の外周及び、複数の電線７及び排水管８の外周に巻きつける。この際、粘着テープ１０は、通し部６の長手方向（即ち矢印Ｋ）の互いに隣り合う粘着テープ１０と粘着テープ１０との間に隙間があかないように巻きつける。そして、アッパーカバー４の係止アーム４３を本体部３のロック突起３４に引っ掛けた後、アッパーカバー４を回動させて、アッパーカバー４のロックアーム４２が本体部３の係止突起３２に嵌まることで、本体部３にアッパーカバー４が組み付けられる。こうして電線接続箱１が完成する。
【００３５】
上述した電気接続箱１によれば、電気接続箱１は、通し部６の内側を通される筒状の排水管８を備えているとともに、前記排水管８が、該排水管８の長手方向の基端部から先端部に向かうに従って、水平方向より下方に向かうように設けられている。こうして、箱本体２に水抜き穴を設けずとも、箱本体２内にたまった水を排水管８から箱本体２の外に排水することができる。
【００３６】
また、排水管８の先端部が、前記通し部６の先端部よりも突出して設けられている。こうして、箱本体２に浸水した水を、箱本体２の外に確実に排水することができる。
【００３７】
次に、本発明の第２の実施形態に係る電気接続箱１０１を、図４を参照して説明する。なお、前述した第１の実施形態と同一構成部分には、同一符号を付して重複する説明を省略する。
【００３８】
排水管８は、筒状に形成されかつ、前記通し部６の内側に配されている。こうして、排水管８は、その長手方向が複数の電線７と平行であるとともに、通し部６とも平行に配されている。勿論排水管８の長手方向が矢印Ｋとも平行である。そして、複数の電線７の一端寄りに排水管８の長手方向の基端部が配されて、複数の電線７の他端寄りに排水管８の先端部が配される。こうして、排水管８が、該排水管８の長手方向の基端部から先端部に向かうに従って、水平方向より下方に向かうように設けられている。また、排水管８は、複数の電線７に取り囲まれている。こうして、排水管８の先端部は、複数の電線７によって覆われている。
【００３９】
上述した電線接続箱１０１の組立手順について説明する。まず、本体部３の内側に電気部品を装着する。そして、複数の電線７の一端に前記電気部品を取り付ける。または、複数の電線７が取り付けられた電気部品を本体部３の内側に装着する。そして、排水管８が、前記複数の電線７に取り囲まれた状態で、複数の電線７及び複数の電線７によって取り囲まれた排水管８を、第１立設部６１の内側に収容する。こうして、排水管８の先端部は、複数の電線７によって覆われている。そして、バンドガイド６３の前記内側に結束バンド９の先端部を通して、第１立設部６１に複数の電線７及び複数の電線７によって取り囲まれた排水管８を結束する。こうして排水管８は、その長手方向が複数の電線７と平行であるとともに、通し部６とも平行に配されている。勿論排水管８の長手方向が矢印Ｋとも平行である。そして、前記排水管８が、該排水管８の長手方向の基端部から先端部に向かうに従って、水平方向より下方に向かうように設けられている。こうして、複数の電線７及び複数の電線７によって取り囲まれた排水管８が第１立設部６１に取り付けられる。そして、複数の電線７及び排水管８が取り付けられた状態の第１立設部６１の周方向の縁に第２立設部６２の周方向の縁を近付ける格好で、本体部３の下面の縁にロアカバー５の外壁５１の縁を矢印Ｋに沿って互いに重ねる。そして、ロアカバー５の外壁５１に設けられたロック部５２に、本体部３の外壁３１に設けられたロック受け部３３が係止することにより、本体部３にロアカバー５が組み付けられる。そして、粘着テープ１０を、通し部６の外周及び、排水管８が取り囲まれた複数の電線７の外周に巻きつける。この際、粘着テープ１０は、通し部６の長手方向（即ち矢印Ｋ）の互いに隣り合う粘着テープ１０と粘着テープ１０との間に隙間があかないように巻きつける。そして、アッパーカバー４の係止アーム４３を本体部３のロック突起３４に引っ掛けた後、アッパーカバー４を回動させて、アッパーカバー４のロックアーム４２が本体部３の係止突起３２に嵌まることで、本体部３にアッパーカバー４が組み付けられる。こうして電線接続箱１０１が完成する。
【００４０】
上述した電気接続箱１０１によれば、電気接続箱１０１は、通し部６の内側を通される筒状の排水管８を備えているとともに、前記排水管８が、該排水管８の長手方向の基端部から先端部に向かうに従って、水平方向より下方に向かうように設けられている。こうして、箱本体２に水抜き穴を設けずとも、箱本体２内にたまった水を排水管８から箱本体２の外に排水することができる。
【００４１】
また、排水管８が、前記複数の電線７に取り囲まれている。こうして、排水管８の先端部は、複数の電線７によって覆われている。従って、電気接続箱１０１は、自動車が前述した高圧洗浄された際においても、排水管８の先端部から箱本体２内に水が侵入することを防止することができる。
【００４２】
なお、上述した実施形態においては、排水管８は、本体部３とは別体に設けられている。しかしながら本発明はこれに限ったものではない。排水管８は、図５に示すように本体部３と一体に設けられていてもよい。また、上述した実施形態においては、排水管８は、ロアカバー５とは別体に設けられている。しかしながら本発明はこれに限ったものではない。排水管８は、図６に示すようにロアカバー５と一体に設けられていてもよい。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４４】
１、１０１  電気接続箱
２  箱本体
６  通し部
７  複数の電線
８  排水管
【図１】
2010259149.tif 000003
【図２】
2010259149.tif 000004
【図３】
2010259149.tif 000005
【図４】
2010259149.tif 000006
【図５】
2010259149.tif 000007
【図６】
2010259149.tif 000008
【図７】
2010259149.tif 000009